(57)【特許請求の範囲】
【請求項１】
物理ランダムアクセスチャネルＰＲＡＣＨと又は物理上りリンク制御チャネルＰＵＣＣＨを介して、端末の位置情報及び／又は前記端末の移動速度が乗せられた前記端末の無線リソース要求メッセージを受信することと、
前記位置情報及び／又は前記移動速度に基づいて、前記端末に割り当てる無線リソースを確定することと、
前記端末に前記端末に割り当てると確定した無線リソースへのアクセスを指示するための指示情報を前記端末に送信することと、を含み、
前記位置情報及び／又は前記移動速度に基づいて、前記端末に割り当てる無線リソースを確定することが、
前記移動速度が第１の所定値を超えるか否かを判断し、判断結果がＹＥＳである場合、前記端末に前記マクロセルの無線リソースを割り当てると確定すること、及び／又は、前記移動速度が第２の所定値未満であるか否かを判断し、判断結果がＹＥＳである場合、前記端末にスモールセルの無線リソースを割り当てると確定することを含む無線リソース割り当て処理方法。
【請求項２】
前記端末にスモールセルの無線リソースを割り当てると確定する前、
前記スモールセルに、前記スモールセルに前記位置情報及び／又は前記移動速度に基づいて前記端末に無線リソースを割り当てることを指示するための指示シグナルを送信することを更に含む請求項１に記載の方法。
【請求項３】
物理ランダムアクセスチャネルＰＲＡＣＨ又は物理上りリンク制御チャネルＰＵＣＣＨを介して、端末の位置情報及び／又は前記端末の移動速度が乗せられた無線リソース要求メッセージをマクロセルに送信することと、
前記マクロセルから送信された、端末にマクロセルが前記位置情報及び／又は前記移動速度に基づいて割り当てると確定した無線リソースにアクセスすることを指示するための指示情報を受信することと、
前記指示情報に基づいて、前記マクロセルが割り当てる確定した無線リソースにアクセスすることと、を含み、
前記指示情報に基づいて、前記マクロセルが割り当てると確定した無線リソースにアクセスすることが、
前記移動速度が第１の所定値を超える場合、前記マクロセルが確定し前記マクロセルが割り当てた無線リソースにアクセスすること、及び／又は、前記移動速度が第２の所定値未満である場合、前記マクロセルが確定し前記スモールセルが割り当てた無線リソースにアクセスすることを含む無線リソース割り当て処理方法。
【請求項４】
端末が、物理ランダムアクセスチャネルＰＲＡＣＨ又は物理上りリンク制御チャネルＰＵＣＣＨを介して、前記端末の位置情報及び／又は前記端末の移動速度が乗せられた無線リソース要求メッセージをマクロセルに送信することと、
マクロセルが前記無線リソース要求メッセージを受信し、前記無線リソース要求メッセージに乗せられた前記位置情報及び／又は前記移動速度に基づいて、前記端末に割り当てる無線リソースを確定することと、
前記マクロセルが、前記端末に前記マクロセルが前記端末に割り当てる確定した無線リソースヘアクセスすることを指示するための指示情報を前記端末に送信することと、
前記端末が、前記マクロセルから送信された前記指示情報を受信し、前記指示情報に基づいて、前記マクロセルが割り当てると確定した無線リソースにアクセスすることと、を含み、
前記マクロセルが、前記無線リソース要求メッセージに乗せられた前記位置情報及び／又は前記移動速度に基づいて、前記端末に割り当てる無線リソースを確定することが、
前記移動速度が第１の所定値を超えるか否かを判断し、判断結果がＹＥＳである場合、前記端末に前記マクロセルの無線リソースを割り当てると確定すること、及び／又は、前記移動速度が第２の所定値未満であるか否かを判断し、判断結果がＹＥＳである場合、前記端末にスモールセルの無線リソースを割り当てると確定することを含む無線リソース割り当て方法。
【請求項５】
物理ランダムアクセスチャネルＰＲＡＣＨ又は物理上りリンク制御チャネルＰＵＣＣＨを介して、端末の位置情報及び／又は前記端末の移動速度が乗せられた端末の無線リソース要求メッセージを受信するように構成される第１の受信手段と、
前記位置情報及び／又は前記移動速度に基づいて、前記端末に割り当てる無線リソースを確定するように構成される確定手段と、
前記端末に前記端末に割り当てると確定した無線リソースへのアクセスを指示するための指示情報を前記端末に送信するように構成される第１の送信手段と、を含み、
前記確定手段が、
前記移動速度が第１の所定値を超えるか否かを判断し、判断結果がＹＥＳである場合、前記端末に前記マクロセルの無線リソースを割り当てると確定するように構成される第１の判断ユニット、及び／又は、前記移動速度が第２の所定値未満であるか否かを判断し、判断結果がＹＥＳである場合、前記端末にスモールセルの無線リソースを割り当てると確定するように構成される第２の判断ユニットを含む無線リソース割り当て処理装置。
【請求項６】
前記スモールセルに前記位置情報及び／又は前記移動速度に基づいて前記端末に無線リソースを割り当てることを指示するための指示シグナルを前記スモールセルに送信するように構成される第１の送信ユニットを更に含む請求項５に記載の装置。
【請求項７】
物理ランダムアクセスチャネルＰＲＡＣＨ又は物理上りリンク制御チャネルＰＵＣＣＨを介して、マクロセルに、前記端末の位置情報及び／又は前記端末の移動速度が乗せられた無線リソース要求メッセージを送信するように構成される第２の送信手段と、
前記マクロセルから送信された、端末にマクロセルが前記位置情報及び／又は前記移動速度に基づいて割り当てると確定した無線リソースにアクセスすることを指示するための指示情報を送信するように構成される第２の受信手段と、
前記指示情報に基づいて、前記マクロセルが割り当てると確定した無線リソースにアクセスするように構成されるアクセスユニットと、を含み、
前記アクセスユニットが、
前記移動速度が第１の所定値を超える場合、前記マクロセルが確定し前記マクロセルが割り当てた無線リソースにアクセスするように構成される第１のアクセスユニット、及び／又は、前記移動速度が第２の所定値未満である場合、前記マクロセルが確定し前記スモールセルが割り当てた無線リソースにアクセスするように構成される第２のアクセスユニットを含む無線リソース割り当て処理装置。
【請求項８】
端末に応用され、物理ランダムアクセスチャネルＰＲＡＣＨ又は物理上りリンク制御チャネルＰＵＣＣＨを介して、前記端末の位置情報及び／又は前記端末の移動速度が乗せられた無線リソース要求メッセージをマクロセルに送信するように構成される第３の送信手段と、
マクロセルに応用され、前記無線リソース要求メッセージを受信し、前記無線リソース要求メッセージに乗せられた前記位置情報及び／又は前記移動速度に基づいて、前記端末に割り当てる無線リソースを確定するように構成される第３の受信手段と、
マクロセルに応用され、前記端末に前記マクロセルが前記端末に割り当てる確定した無線リソースヘアクセスすることを指示するための指示情報を前記端末に送信するように構成される第４の送信手段と、
端末に応用され、前記マクロセルから送信された前記指示情報を受信し、前記指示情報に基づいて、前記マクロセルが割り当てると確定した無線リソースにアクセスするように構成される第４の受信手段と、を含み、
前記第３の受信手段が、前記移動速度が第１の所定値を超えるか否かを判断し、判断結果がＹＥＳである場合、前記端末に前記マクロセルの無線リソースを割り当てると確定すること、及び／又は、前記移動速度が第２の所定値未満であるか否かを判断し、判断結果がＹＥＳである場合、前記端末にスモールセルの無線リソースを割り当てると確定することによって、前記無線リソース要求メッセージに乗せられた前記位置情報及び／又は前記移動速度に基づいて前記端末に割り当てる無線リソースを確定する無線リソース割り当て処理装置。
【発明の詳細な説明】
【技術分野】
【０００１】
本発明は、通信分野に関し、特に、無線リソース割り当て処理方法及び装置に関するものである。
【背景技術】
【０００２】
無線通信の発展に伴って、特に４Ｇ技術及び今後の５Ｇ技術の普及に伴って、無線のセルラセル分布は垂直分布構造をなし、つまりマクロセルＭａｃｒｏｃｅｌｌとスモールセルＳｍａｌｌｃｅｌｌが共存する。更に、今後大きい帯域幅に対する需要によって、ミリ波が非常に重要な５Ｇ周波数帯となり、ミリ波のパスロスが大きいので、ミリ波帯はＳｍａｌｌｃｅｌｌに応用され、ますます密集分布された多いＳｍａｌｌｃｅｌｌがサービスを吸収する極めて重要なベアラになることに特に注目すべきである。
【０００３】
ＭａｃｒｏｃｅｌｌとＳｍａｌｌｃｅｌｌの垂直構成で、端末に無線リソースを如何に合理的に割り当てるかは、４Ｇ＋、５Ｇ世代乃至後続の無線進化にて重要な問題である。
【０００４】
既存技術において無線リソースの割り当てが不合理であることで利用率が低下し、無線リソースを浪費してしまう問題について、未だに有効な解決案を提示していない。
【発明の概要】
【発明が解決しようとする課題】
【０００５】
本発明は、少なくとも既存技術において無線リソースの割り当てが不合理であることで利用率が低下し、無線リソースを浪費してしまう問題を解決できる無線リソース割り当て方法及び装置を提供する。
【課題を解決するための手段】
【０００６】
本発明の実施例の一態様によると、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨと略称）又は物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨと略称）を介して、端末の無線リソース要求メッセージを受信することと、ここで、前記要求メッセージに前記端末の位置情報及び／又は前記端末の移動速度が乗せられ；前記位置情報及び／又は前記移動速度に基づいて、前記端末に割り当てる無線リソースを確定することと、前記端末に前記端末に割り当てると確定した無線リソースへのアクセスを指示するための指示情報を前記端末に送信することと、を含む無線リソース割り当て処理方法を提供する。
【０００７】
前記位置情報及び／又は前記移動速度に基づいて、前記端末に割り当てる無線リソースを確定することが、前記移動速度が第１の所定値を超えるか否かを判断し、判断結果がＹＥＳである場合、前記端末に前記マクロセルの無線リソースを割り当てると確定することを含むことが好ましい。
【０００８】
前記位置情報及び／又は前記移動速度に基づいて、前記端末に割り当てる無線リソースを確定することが、前記移動速度が第２の所定値未満であるか否かを判断し、判断結果がＹＥＳである場合、前記端末にスモールセルの無線リソースを割り当てると確定することを含むことが好ましい。
【０００９】
前記端末にスモールセルの無線リソースを割り当てると確定する前、前記スモールセルに、前記スモールセルに前記位置情報及び／又は前記移動速度に基づいて前記端末に無線リソースを割り当てることを指示するための指示シグナルを送信することを更に含むことが好ましい。
【００１０】
本発明の実施例の他の一態様によると、物理ランダムアクセスチャネルＰＲＡＣＨ又は物理上りリンク制御チャネルＰＵＣＣＨを介して、前記端末の位置情報及び／又は前記端末の移動速度が乗せられた無線リソース要求メッセージをマクロセルに送信することと、前記マクロセルから送信された、端末にマクロセルが前記位置情報及び／又は前記移動速度に基づいて割り当てると確定した無線リソースにアクセスすることを指示するための指示情報を受信することと、前記指示情報に基づいて、前記マクロセルが割り当てる確定した無線リソースにアクセスすることと、を含む無線リソース割り当て処理方法を提供する。
【００１１】
前記指示情報に基づいて、前記マクロセルが割り当てると確定した無線リソースにアクセスすることが、前記移動速度が第１の所定値を超える場合、前記マクロセルが確定し前記マクロセルが割り当てた無線リソースにアクセスすることを含むことが好ましい。
【００１２】
前記指示情報に基づいて、前記マクロセルが割り当てると確定した無線リソースにアクセスすることが、前記移動速度が第２の所定値未満である場合、前記マクロセルが確定し前記スモールセルが割り当てた無線リソースにアクセスすることを含むことが好ましい。
【００１３】
本発明の実施例の他の一態様によると、端末が、物理ランダムアクセスチャネルＰＲＡＣＨ又は物理上りリンク制御チャネルＰＵＣＣＨを介して、前記端末の位置情報及び／又は前記端末の移動速度が乗せられた無線リソース要求メッセージをマクロセルに送信することと、マクロセルが前記無線リソース要求メッセージを受信し、前記無線リソース要求メッセージに乗せられた前記位置情報及び／又は前記移動速度に基づいて、前記端末に割り当てる無線リソースを確定することと、前記マクロセルが、前記端末に前記マクロセルが前記端末に割り当てる確定した無線リソースヘアクセスすることを指示するための指示情報を前記端末に送信することと、前記端末が、前記マクロセルから送信された前記指示情報を受信し、前記指示情報に基づいて、前記マクロセルが割り当てると確定した無線リソースにアクセスすることと、を含む無線リソース割り当て方法を提供する。
【００１４】
本発明の実施例の他の一態様によると、物理ランダムアクセスチャネルＰＲＡＣＨ又は物理上りリンク制御チャネルＰＵＣＣＨを介して、端末の位置情報及び／又は前記端末の移動速度が乗せられた端末の無線リソース要求メッセージを受信するように構成される第１の受信手段と、前記位置情報及び／又は前記移動速度に基づいて、前記端末に割り当てる無線リソースを確定するように構成される確定手段と、前記端末に前記端末に割り当てると確定した無線リソースへのアクセスを指示するための指示情報を前記端末に送信するように構成される第１の送信手段と、を含む無線リソース割り当て処理装置を提供する。
【００１５】
前記確定手段が、前記移動速度が第１の所定値を超えるか否かを判断し、判断結果がＹＥＳである場合、前記端末に前記マクロセルの無線リソースを割り当てると確定するように構成される第１の判断ユニットを含むことが好ましい。
【００１６】
前記確定手段が、前記移動速度が第２の所定値未満であるか否かを判断し、判断結果がＹＥＳである場合、前記端末にスモールセルの無線リソースを割り当てると確定するように構成される第２の判断ユニットを含むことが好ましい。
【００１７】
前記装置が、前記スモールセルに前記位置情報及び／又は前記移動速度に基づいて前記端末に無線リソースを割り当てることを指示するための指示シグナルを前記スモールセルに送信するように構成される第１の送信ユニットを更に含むことが好ましい。
【００１８】
本発明の実施例の他の一態様によると、物理ランダムアクセスチャネルＰＲＡＣＨ又は物理上りリンク制御チャネルＰＵＣＣＨを介して、マクロセルに、前記端末の位置情報及び／又は前記端末の移動速度が乗せられた無線リソース要求メッセージを送信するように構成される第２の送信手段と、前記マクロセルから送信された、端末にマクロセルが前記位置情報及び／又は前記移動速度に基づいて割り当てると確定した無線リソースにアクセスすることを指示するための指示情報を送信するように構成される第２の受信手段と、前記指示情報に基づいて、前記マクロセルが割り当てると確定した無線リソースにアクセスするように構成されるアクセスユニットと、を含む無線リソース割り当て処理装置を提供する。
【００１９】
前記アクセスユニットが、前記移動速度が第１の所定値を超える場合、前記マクロセルが確定し前記マクロセルが割り当てた無線リソースにアクセスするように構成される第１のアクセスユニットを含むことが好ましい。
【００２０】
前記アクセスユニットが、前記移動速度が第２の所定値未満である場合、前記マクロセルが確定し前記スモールセルが割り当てた無線リソースにアクセスするように構成される第２のアクセスユニットを含むことが好ましい。
【００２１】
本発明の実施例の他の一態様によると、
端末に応用され、物理ランダムアクセスチャネルＰＲＡＣＨ又は物理上りリンク制御チャネルＰＵＣＣＨを介して、前記端末の位置情報及び／又は前記端末の移動速度が乗せられた無線リソース要求メッセージをマクロセルに送信するように構成される第３の送信手段と、
マクロセルに応用され、前記無線リソース要求メッセージを受信し、前記無線リソース要求メッセージに乗せられた前記位置情報及び／又は前記移動速度に基づいて、前記端末に割り当てる無線リソースを確定するように構成される第３の受信手段と、
マクロセルに応用され、前記端末に前記マクロセルが前記端末に割り当てる確定した無線リソースヘアクセスすることを指示するための指示情報を前記端末に送信するように構成される第４の送信手段と、
端末に応用され、前記マクロセルから送信された前記指示情報を受信し、前記指示情報に基づいて、前記マクロセルが割り当てると確定した無線リソースにアクセスするように構成される第４の受信手段と、を含む無線リソース割り当て処理装置を提供する。
【発明の効果】
【００２２】
本発明によると、物理ランダムアクセスチャネルＰＲＡＣＨ又は物理上りリンク制御チャネルＰＵＣＣＨを介して端末の無線リソース要求メッセージを受信し、ここで、前記要求メッセージに前記端末の位置情報及び／又は前記端末の移動速度が乗せられ、また、前記位置情報及び／又は前記移動速度に基づいて、前記端末に割り当てる無線リソースを確定し、前記端末に前記端末に割り当てると確定した無線リソースへのアクセスを指示するための指示情報を前記端末に送信することで、既存技術において無線リソースの割り当てが不合理であることで利用率が低下し、無線リソースを浪費してしまう問題を解決し、制御プレーンの無線リソースとユーザプレーンの無線リソースとの有効な分離を実現し、制御プレーンの無線リソースの配置を減少し、制御プレーンの無線リソースの利用率を向上させる。
【図面の簡単な説明】
【００２３】
ここで説明する図面は本発明を一層理解させるためのもので、本願の一部を構成し、本発明に示す実施例及びその説明は本発明を解釈するもので、本発明を限定するものではない。
【図１】本発明の実施例に係わる無線リソース割り当て方法を示すフローチャート１である。
【図２】本発明の実施例に係わる無線リソース割り当て方法を示すフローチャート２である。
【図３】本発明の実施例に係わる無線リソース割り当て方法を示すフローチャート３である。
【図４】本発明の実施例に係わる無線リソース割り当て装置を示すブロック図の１である。
【図５】本発明の好適な実施例に係わる無線リソース割り当て装置を示すブロック図の１である。
【図６】本発明の好適な実施例に係わる無線リソース割り当て装置を示すブロック図の２である。
【図７】本発明の好適な実施例に係わる無線リソース割り当て装置を示すブロック図の３である。
【図８】本発明の実施例に係わる無線リソース割り当て装置を示すブロック図２である。
【図９】本発明の好適な実施例に係わる無線リソース割り当て装置を示すブロック図の４である。
【図１０】本発明の好適な実施例に係わる無線リソース割り当て装置を示すブロック図の５である。
【図１１】本発明の実施例に係わる無線リソース割り当て装置を示すブロック図の３である。
【図１２】本発明の好適な実施例に係わるマクロセルとスモールセルの構造を示すブロック図である。
【図１３】本発明の好適な実施例に係わる無線リソース割り当てを示す図の１である。
【図１４】本発明の好適な実施例に係わる無線リソース割り当てを示す図の２である。
【発明を実施するための形態】
【００２４】
以下、図面を参照しつつ実施例を結合して本発明を詳しく説明する。なお、矛盾しない限り、本願の実施例及び実施例中の特徴を組み合せることができる。
【００２５】
本実施例において無線リソース割り当て方法を提供し、図１は本発明の実施例に係わる無線リソース割り当て方法を示すフローチャート１で、図１に示すように、該プロセスは以下のステップを含む：
物理ランダムアクセスチャネルＰＲＡＣＨ又は物理上りリンク制御チャネルＰＵＣＣＨを介して、端末の無線リソース要求メッセージを受信し（ステップＳ１０２）、ここで、該要求メッセージには該端末の位置情報及び／又は該端末の移動速度が乗せられ、
該位置情報及び／又は該移動速度に基づいて、該端末に割り当てる無線リソースを確定し（ステップＳ１０４）、
該端末に指示情報を送信し（ステップＳ１０６）、ここで、該指示情報は該端末に該端末に割り当てると確定した無線リソースヘアクセスすることを指示する。
【００２６】
上記ステップによって、物理ランダムアクセスチャネルＰＲＡＣＨ又は物理上りリンク制御チャネルＰＵＣＣＨを介して、端末の無線リソース要求メッセージを受信し、ここで、該要求メッセージには該端末の位置情報及び／又は該端末の移動速度が乗せられ、マクロセルがＰＲＡＣＨ又はＰＵＣＣＨから伝送された位置情報及び／又は移動速度に基づいて、端末に割り当てる無線リソースを確定し、即ち、マクロセルが制御プレーンで端末に割り当てる無線リソースを確定した後、端末に指示情報を送信し、ここで、該指示情報は該端末に該端末に割り当てる確定した無線リソースへアクセスすることを指示するものであって、端末がマクロセルが確定した無線リソースにアクセスすることで、既存技術において無線リソースの割り当てが不合理であることで利用率が低下し、無線リソースを浪費してしまう問題を解決し、制御プレーンの無線リソースとユーザプレーンの無線リソースとの有効な分離を実現し、制御プレーンの無線リソースの配置を減少し、制御プレーンの無線リソースの利用率を向上させる。
【００２７】
一好適な実施形態として、該移動速度が第１の所定値を超えるか否かを判断し、判断結果がＹＥＳである場合、該端末に該マクロセルの無線リソースを割り当てると確定し、即ち、直接にマクロセルが端末に無線リソースを割り当てることで、無線リソースの割り当てが最も合理的である。
【００２８】
一好適な実施形態として、該移動速度が第２の所定値未満であるか否かを判断し、判断結果がＹＥＳである場合、該端末にスモールセルの無線リソースを割り当てると確定する。マクロセルがスモールセルに指示情報を送信し、ここで、該指示情報は該スモールセルに、該位置情報及び／又は該移動速度に基づいて該端末に無線リソースを割り当てることを指示し、スモールセルは移動端末の位置情報に基づいて確定され、該位置情報に近いスモールセルを目的スモールセルとして選択することができ、目的スモールセルはマクロセルから送信された指示情報を受信した後、移動端末に無線リソースを割り当てることで、制御プレーンとユーザプレーンの分離を実現する。
【００２９】
該端末に割り当てるスモールセルの無線リソースを確定する前、該スモールセルに指示シグナルを送信することが好ましく、ここで、該指示シグナルは該スモールセルに該位置情報及び／又は該移動速度に基づいて該端末に割り当てる無線リソースを確定することを指示する。
【００３０】
本発明の実施例において無線リソース割り当て処理方法を提供し、図２は本発明の実施例に係わる無線リソース割り当て方法を示すフローチャート２であり、図２に示すように、
物理ランダムアクセスチャネルＰＲＡＣＨ又は物理上りリンク制御チャネルＰＵＣＣＨを介して、マクロセルに無線リソース要求メッセージを送信すること（ステップＳ２０２）と、ここで、該要求メッセージに該端末の位置情報及び／又は該端末の移動速度が乗せられ、
該マクロセルから送信された指示情報を受信すること（ステップＳ２０４）と、ここで、該指示情報は端末にマクロセルが該位置情報及び／又は該移動速度に基づいて割り当てると確定した無線リソースへアクセスすることを指示し、
該指示情報に基づいて、該マクロセルが割り当てると確定した無線リソースにアクセスすること（ステップＳ２０６）と、を含む。
【００３１】
上記ステップによると、物理ランダムアクセスチャネルＰＲＡＣＨ又は物理上りリンク制御チャネルＰＵＣＣＨを介して、マクロセルに無線リソース要求メッセージを送信し、ここで、該要求メッセージに端末の位置情報及び／又は該端末の移動速度が乗せられ、マクロセルから送信された指示情報を受信し、ここで、該指示情報は端末にマクロセルが該位置情報及び／又は該移動速度に基づいて割り当てると確定した無線リソースへアクセスすることを指示し、該指示情報に基づいて該マクロセルが割り当てると確定した無線リソースにアクセスすることで、既存技術において無線リソースの割り当てが不合理であることで利用率が低下し、無線リソースを浪費してしまう問題を解決し、制御プレーンの無線リソースとユーザプレーンの無線リソースとの有効な分離を実現し、制御プレーンの無線リソースの配置を減少し、制御プレーンの無線リソースの利用率を向上させる。
【００３２】
該移動速度が第１の所定値を超える場合、該マクロセルが確定し該マクロセルが割り当てた無線リソースにアクセスすることが好ましい。
【００３３】
該移動速度が第２の所定値未満である場合、該マクロセルが確定し該スモールセルが割り当てた無線リソースにアクセスすることが好ましい。
【００３４】
本発明の実施例において更に無線リソース割り当て方法を提供し、図３は本発明の実施例に係わる無線リソース割り当て方法を示すフローチャート３であり、図３に示すように、
端末が、物理ランダムアクセスチャネルＰＲＡＣＨ又は物理上りリンク制御チャネルＰＵＣＣＨを介して、マクロセルに無線リソース要求メッセージを送信すること（ステップＳ３０２）と、ここで、該要求メッセージに該端末の位置情報及び／又は該端末の移動速度が乗せられ、
マクロセルが、該無線リソース要求メッセージを受信し、該無線リソース要求メッセージに乗せられた該位置情報及び／又は該移動速度に基づいて、該端末に割り当てる無線リソースを確定すること（ステップＳ３０４）と、
該マクロセルが該端末に指示情報を送信すること（ステップＳ３０６）と、ここで、該指示情報は該端末に該マクロセルが該端末に割り当てると確定した無線リソースへアクセスすることを指示し、
該端末が、該マクロセルから送信された該指示情報を受信し、該指示情報に基づいて、該マクロセルが割り当てると確定した無線リソースにアクセスすること（ステップＳ３０８）と、を含む。
【００３５】
上記ステップによると、端末が物理ランダムアクセスチャネルＰＲＡＣＨ又は物理上りリンク制御チャネルＰＵＣＣＨを介して、マクロセルに無線リソース要求メッセージを送信し、ここで、該要求メッセージに該端末の位置情報及び／又は該端末の移動速度が乗せられ、マクロセルが該無線リソース要求メッセージを受信し、該無線リソース要求メッセージに乗せられた該位置情報及び／又は該移動速度に基づいて該端末に割り当てる無線リソースを確定し、該マクロセルが該端末に指示情報を送信し、ここで、該指示情報は該端末に該マクロセルが該端末に割り当てると確定した無線リソースへアクセスすることを指示し、該端末が該マクロセルから送信された該指示情報を受信し、該指示情報に基づいて該マクロセルが割り当てると確定した無線リソースにアクセスすることで、既存技術において無線リソースの割り当てが不合理であることで利用率が低下し、無線リソースを浪費してしまう問題を解決し、制御プレーンの無線リソースとユーザプレーンの無線リソースとの有効な分離を実現し、制御プレーンの無線リソースの配置を減少し、制御プレーンの無線リソースの利用率を向上させる。
【００３６】
本発明の実施例の他の一態様によると、上記実施例及び好適な実施形態を実現するための無線リソース割り当て処理装置を提供し、既に説明した部分の説明は省略する。以下で使用する用語「手段」は所定の機能を実現できるソフトウェア及び／又はハードウェアの組み合せである。以下の実施例で説明する装置をソフトウェアで実現することが好ましいが、ハードウェア又はソフトウェアとハードウェアの組み合せで実現することも可能である。
【００３７】
図４は本発明の実施例に係わる無線リソース割り当て装置を示すブロック図の１であり、図４に示すように、
物理ランダムアクセスチャネルＰＲＡＣＨ又は物理上りリンク制御チャネルＰＵＣＣＨを介して、端末の無線リソース要求メッセージを受信するように構成される第１の受信手段４２と、ここで、該要求メッセージに該端末の位置情報及び／又は該端末の移動速度が乗せられ、
該位置情報及び／又は該移動速度に基づいて、該端末に割り当てる無線リソースを確定するように構成される確定手段４４と、
該端末に指示情報を送信するように構成される第１の送信手段４６と、を含み、ここで、該指示情報は該端末に該端末に割り当てる確定した無線リソースへアクセスすることを指示する。
【００３８】
図５は本発明の好適な実施例に係わる無線リソース割り当て装置を示すブロック図の１であり、図５に示すように、該確定手段４４は、
該移動速度が第１の所定値を超えるか否かを判断し、判断結果がＹＥＳである場合、該端末に該マクロセルの無線リソースを割り当てると確定するように構成される第１の判断ユニット５２を含むことが好ましい。
【００３９】
図６は本発明の好適な実施例に係わる無線リソース割り当て装置を示すブロック図の２で、図６に示すように、該確定手段４４は、
該移動速度が第２の所定値未満であるか否かを判断し、判断結果がＹＥＳである場合、該端末にスモールセルの無線リソースを割り当てると確定するように構成される第２の判断ユニット６２を含むことが好ましい。
【００４０】
図７は本発明の好適な実施例に係わる無線リソース割り当て装置を示すブロック図の３であり、図７に示すように、該装置は、
該スモールセルに指示シグナルを送信するように構成される第１の送信ユニット７２を更に含むことが好ましく、ここで、該指示シグナルは該スモールセルに該位置情報及び／又は該移動速度に基づいて該端末に無線リソースを割り当てることを指示する。
【００４１】
本発明の実施例において無線リソース割り当て処理装置を提供し、図８は本発明の実施例に係わる無線リソース割り当て装置を示すブロック図２で、図８に示すように、
物理ランダムアクセスチャネルＰＲＡＣＨ又は物理上りリンク制御チャネルＰＵＣＣＨを介して、マクロセルに無線リソース要求メッセージを送信するように構成される第２の送信手段８２と、ここで、該要求メッセージに該端末の位置情報及び／又は該端末の移動速度が乗せられ、
該マクロセルから送信された指示情報を受信するように構成される第２の受信手段８４と、ここで、該指示情報は端末にマクロセルが該位置情報及び／又は該移動速度に基づいて割り当てると確定した無線リソースへアクセスすることを指示し、
該指示情報に基づいて、該マクロセルが割り当てると確定した無線リソースにアクセスするように構成されるアクセスユニット８６と、を含む。
【００４２】
図９は本発明の好適な実施例に係わる無線リソース割り当て装置を示すブロック図の４であり、図９に示すように、該アクセスユニット８６は、
該移動速度が第１の所定値を超える場合、該マクロセルが確定し該マクロセルが割り当てた無線リソースにアクセスするように構成される第１のアクセスユニット９２を含む。
【００４３】
図１０は本発明の好適な実施例に係わる無線リソース割り当て装置を示すブロック図の５であり、図１０に示すように、該アクセスユニット８６は、
該移動速度が第２の所定値未満である場合、該マクロセルが確定し該スモールセルが割り当てた無線リソースにアクセスするように構成される第２のアクセスユニット１０２を含む。
【００４４】
本発明の実施例の他の一態様によると更に、無線リソース割り当て処理装置を提供し、図１１は本発明の実施例に係わる無線リソース割り当て装置を示すブロック図の３であり、図１１に示すように、
端末に応用され、物理ランダムアクセスチャネルＰＲＡＣＨ又は物理上りリンク制御チャネルＰＵＣＣＨを介して、マクロセルに無線リソース要求メッセージを送信するように構成される第３の送信手段１１２と、ここで、該要求メッセージに該端末の位置情報及び／又は該端末の移動速度が乗せられ、
マクロセルに応用され、該無線リソース要求メッセージを受信し、該無線リソース要求メッセージに乗せられた該位置情報及び／又は該移動速度に基づいて、該端末に割り当てる無線リソースを確定するように構成される第３の受信手段１１４と、
マクロセルに応用され、該端末に指示情報を送信するように構成される第４の送信手段１１６と、ここで、該指示情報は該端末に該マクロセルが該端末に割り当てると確定した無線リソースへアクセスすることを指示し、
端末に応用され、該マクロセルから送信された該指示情報を受信し、該指示情報に基づいて、該マクロセルが割り当てると確定した無線リソースにアクセスするように構成される第４の受信手段１１８と、を含む。
【００４５】
以下、具体的な実施形態を結合して本発明の実施例を一層説明する。
【００４６】
図１２は本発明の好適な実施例に係わるマクロセルとスモールセルの構造を示すブロック図であり、マクロセルとスモールセルの構造は図１２に示すとおりである。ＭａｃｒｏｃｅｌｌとＳｍａｌｌｃｅｌｌの機能は異なっていて、Ｍａｃｒｏｃｅｌｌはカバーや制御プレーンを重要視し、Ｓｍａｌｌｃｅｌｌは容量やユーザプレーンを重要視することができ、また、Ｓｍａｌｌｃｅｌｌには一斉呼出チャネルとＲＡＣＨアクセスチャネル、ＰＵＣＣＨ、ＰＤＣＣＨ等の関連する制御チャネルが設定されていない。セル放送メッセージはＭａｃｒｏｃｅｌｌであるかＳｍａｌｌｃｅｌｌであるかを明確に表し、ＵＥは空き状態でＭａｃｒｏｃｅｌｌのみに位置する。ＵＥがサービスを発する時、ＭａｃｒｏｃｅｌｌのＰＲＡＣＨにＵＥの位置情報及び／又はＵＥの移動速度情報を乗せていて、ここで、移動速度はグローバルポジショニングシステム（Ｇｌｏｂａｌ  Ｐｏｓｉｔｉｏｎｉｎｇ  Ｓｙｓｔｏｍ、ＧＰＳと略称）、センサー等によって取得する。又は、ＭａｃｒｏｃｅｌｌのＰＵＣＣＨにＵＥの位置情報及び／又はＵＥの移動速度情報を乗せる。Ｓｍａｌｌｃｅｌｌの物理リソースのエアーインターフェースでの割り当てを実現するため、ＭａｃｒｏｃｅｌｌとＳｍａｌｌｃｅｌｌのダウンリンク送信は同期しなければならない。ＵＥの位置情報及び／又はＵＥの移動速度情報に基づいて、ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨと略称）を介して、最も適切な無線リソースをＵＥに割り当てる。移動速度が大きい時、直接にＭａｃｒｏｃｅｌｌの無線リソースを割り当て、ＭａｃｒｏｃｅｌｌのＰＤＣＣＨチャネルを介して、ＵＥにＭａｃｒｏｃｅｌｌの無線リソース（物理下り共有チャネル（Ｐｈｙｓｉｃａｌ  Ｄｏｗｎｌｉｎｋ  Ｓｈａｒｅｄ  Ｃｏｎｔｒｏｌ  Ｃｈａｎｎｅｌ、ＰＤＳＣＨと略称）と物理上り共有チャネル（Ｐｈｙｓｉｃａｌ  Ｕｐｌｉｎｋ  Ｓｈａｒｅｄ  Ｃｏｎｔｒｏｌ  Ｃｈａｎｎｅｌ、ＰＵＳＣＨと略称））を割り当てる。移動速度が低い時、ＵＥが報知した位置に基づいて、Ｓｍａｌｌｃｅｌｌがカバーした地理位置データベースを調査し、直接にＵＥの位置に最も近いＳｍａｌｌｃｅｌｌの無線リソースを割り当て、ＭａｃｒｏｃｅｌｌのＰＤＣＣＨチャネルを介して、ＵＥにＳｍａｌｌｃｅｌｌの無線リソース（ＰＤＳＣＨとＰＵＳＣＨ）を割り当てる。ここで、速度高さ閾値は、異なるチャネルモデルに対して異なる値に設定することができる。Ｓｍａｌｌｃｅｌｌがカバーした地理位置データは、テストによって予め取得することができ、即ち、上り／下り受信信号の強度がある閾値を超える地理カバー範囲、又は上り／下り受信信号対雑音比がある閾値を超える地理カバー範囲をテストによって予め取得することができる。ＭａｃｒｏｃｅｌｌとＳｍａｌｌｃｅｌｌの機能を合理的に確定することで、無線リソースの最適な割り当てを実現することができる。
【００４７】
Ｍａｃｒｏｃｅｌｌは、関連するサーバーによってカバー範囲内のＳｍａｌｌｃｅｌｌの実際の有効カバー地理位置データベースを取得することができ、Ｍａｃｒｏｃｅｌｌの放送メッセージはＭａｃｒｏを明確に表し、ＵＥに空き状態ではＭａｃｒｏｃｅｌｌに位置することを指示する。ＵＥはアクセスを発する時、ＰＲＡＣＨにリアルタイムの移動速度とリアルタイムの位置情報を乗せていて、ＭａｃｒｏｃｅｌｌはＵＥの位置情報及び／又はＵＥの移動速度情報に基づいて、最も適切な無線リソース、即ち受信信号強度が最も良好なｓｍａｌｌｃｅｌｌをＵＥに割り当てる。移動速度が大きい時、直接にＭａｃｒｏｃｅｌｌの無線リソースを割り当て、移動速度が低い時、ＵＥが報知した位置に基づいて、Ｓｍａｌｌｃｅｌｌがカバーした地理位置データベースを調査し、直接にＵＥの位置に最も近いＳｍａｌｌｃｅｌｌの無線リソースを割り当てる。市内カバーの場合、移動速度の高閾値として６０ｋｍ／ｈを選択し、低閾値として５ｋｍ／ｈを選択する。郊外カバーの場合、移動速度の高閾値として８０ｋｍ／ｈを選択し、低閾値として１５ｋｍ／ｈを選択する。
【００４８】
そして、Ｍａｃｒｏｃｅｌｌは関連するサーバーによってそのカバー範囲内のＳｍａｌｌｃｅｌｌの実際の有効カバー地理位置データベースを取得することができる。Ｍａｃｒｏｃｅｌｌの放送メッセージはＭａｃｒｏであることを明確に表し、ＵＥに空き状態でＭａｃｒｏｃｅｌｌに位置することを指示する。ＵＥはアクセスを発する時、ＰＵＣＣＨにリアルタイムの移動速度とリアルタイムの位置情報を乗せている。ＵＥの位置情報及び／又はＵＥの移動速度情報に基づいて、ＰＤＣＣＨチャネルを介して、最も適切な無線リソース、即ち、受信信号強度が最も良好なｓｍａｌｌｃｅｌｌをＵＥに割り当てる。移動速度が大きい時、直接にＭａｃｒｏｃｅｌｌの無線リソースを割り当て、移動速度が低い時、ＵＥが報知した位置に基づいて、Ｓｍａｌｌｃｅｌｌがカバーした地理位置データベースを調査し、直接にＵＥの位置に最も近いＳｍａｌｌｃｅｌｌの無線リソースを割り当てる。市内カバーの場合、移動速度の高閾値として６０ｋｍ／ｈを選択し、低閾値として５ｋｍ／ｈを選択する。郊外カバーの場合、移動速度の高閾値として８０ｋｍ／ｈを選択し、低閾値として１５ｋｍ／ｈを選択する。
【００４９】
図１３は本発明の好適な実施例に係わる無線リソース割り当てを示す図の１であり、図１３に示すように、マクロセルのＰＤＣＣＨを用いて、ＵＥにマクロセルのＰＤＳＣＨとＰＵＳＣＨを割り当て、ここで、マクロセルＡはロジックＭａｃｒｏＣｅｌｌで、マクロセルＡ１はＰＲＡＣＨ、ＰＵＣＣＨ、ＰＤＣＣＨ等の制御プレーンのチャネルが位置するセルであって、マクロセルＡ２、…、マクロセルＡ４はＰＤＳＣＨ、ＰＵＳＣＨが位置するセルであって、即ち、マクロセルＡはＰＲＡＣＨ、ＰＵＣＣＨ、ＰＤＣＣＨを介して、端末に割り当てるリソースを確定した後、マクロセルＡは端末に割り当てる確定したリソースがマクロセルＡ２、…、マクロセルＡ４の中の一つのＰＤＳＣＨ、ＰＵＳＣＨであると通知し、マクロセルＡ２、…、マクロセルＡ４の中の一つがＰＤＳＣＨ、ＰＵＳＣＨを介して、端末にリソースを割り当てることで、制御プレーンとユーザプレーンの分離を実現し、制御プレーンの無線リソースの配置を減少し、制御プレーンの無線リソースの利用率を向上させる。
【００５０】
図１４は本発明の好適な実施例に係わる無線リソース割り当てを示す図の２であり、図１４に示すように、マクロセルのＰＤＣＣＨを用いて、ＵＥにスモールセルのＰＤＳＣＨとＰＵＳＣＨを割り当て、ここで、マクロセルＡはＭａｃｒｏＣｅｌｌで、マクロセルＡはＰＲＡＣＨ、ＰＵＣＣＨ、ＰＤＣＣＨ等の制御プレーンのチャネルが位置するセルであって、スモールセルＢ１、…、スモールセルＢ４はＰＤＳＣＨ、ＰＵＳＣＨのユーザプレーンが位置するセルであって、これにより、制御プレーンとユーザプレーンの分離を実現し、制御プレーンの無線リソースの配置を減少し、制御プレーンの無線リソースの利用率を向上させる。
【００５１】
上記した本発明の各手段又は各ステップを共通の計算装置によって実現することができ、単独の計算装置に集中させることができれば、複数の計算装置から構成されるネットワークに分布させることもでき、更に計算装置が実行可能なプログラムコードによって実現することもできるので、それらを記憶装置に記憶させて計算装置によって実行することができ、場合によっては、他の順で図に示す又は説明したステップを実行することができ、又は夫々集積回路手段に製作し、又はそれらの中の複数の手段又はステップを単一の集積回路手段に製作して実現できることは当業者にとって明らかなことである。このように、本発明は如何なる特定のハードウェアとソフトウェアの結合にも限定されない。
【００５２】
以上は、本発明の好適な実施例に過ぎず、本発明を限定するものではない。当業者であれば本発明に様々な修正や変形が可能である。本発明の精神や原則内での全ての修正、置換、改良などは本発明の保護範囲内に含まれる。
【産業上の利用可能性】
【００５３】
上記実施例及び好適な実施形態によると、既存技術において無線リソースの割り当てが不合理であることで利用率が低下し、無線リソースを浪費してしまう問題を解決し、制御プレーンの無線リソースとユーザプレーンの無線リソースとの有効な分離を実現し、制御プレーンの無線リソースの配置を減少し、制御プレーンの無線リソースの利用率を向上させる。
【図１】
0006526182.tif 000002
【図２】
0006526182.tif 000003
【図３】
0006526182.tif 000004
【図４】
0006526182.tif 000005
【図５】
0006526182.tif 000006
【図６】
0006526182.tif 000007
【図７】
0006526182.tif 000008
【図８】
0006526182.tif 000009
【図９】
0006526182.tif 000010
【図１０】
0006526182.tif 000011
【図１１】
0006526182.tif 000012
【図１２】
0006526182.tif 000013
【図１３】
0006526182.tif 000014
【図１４】
0006526182.tif 000015